(57)【要約】【課題】ユーザの誤操作等による録画権利の喪失を防止するダビング装置およびそのダビング装置の制御方法を提供する。【解決手段】記録手段３１と、記録手段３１に記憶されたコンテンツを、記録媒体へコピーするコピーモードと、記録媒体へムーブするムーブモードとのダビングモードが設定可能な媒体記録手段３２と、コンテンツのコンテンツ情報を判定するコンテンツ判定手段２１と、コンテンツが許可されたコピー残回数を判別するコピー回数判別手段２２と、制御手段２７と、を備え、制御手段２７は、記録手段３１に記憶されたコンテンツを記録媒体へダビングするダビング設定がなされたときに、コンテンツ判定手段２１およびコピー回数判別手段２２を制御してダビング設定されたコンテンツのコピー残回数を取得し、コピー残回数が複数回である場合に、前記記録手段をコピーモードのみを操作可能とする強制コピーモード手段を有するダビング装置。【選択図】      図１
2009283071.tif 000002
【特許請求の範囲】
【請求項１】
記録手段と、
前記記録手段に記憶されたコンテンツを記録媒体へコピーするコピーモードと、前記記録手段に記憶されたコンテンツを記録媒体へムーブするムーブモードとのダビング設定を設定可能な媒体記録手段と、
前記コンテンツのコンテンツ情報を判定するコンテンツ判定手段と、
前記コンテンツの許可されたコピー残回数を判別するコピー回数判別手段と、
前記媒体記録手段、前記コンテンツ判定手段、および、前記コピー回数判別手段を制御する制御手段と、を備え、
前記制御手段は、前記記録手段に記憶されたコンテンツを前記記録媒体へダビングするダビング設定がされたときに、前記コンテンツ判定手段および前記コピー回数判別手段を制御してダビング設定されたコンテンツのコピー残回数を取得し、コピー残回数が複数回である場合に、前記媒体記録手段をコピーモードのみを操作可能とする強制コピーモード手段を有するダビング装置。
【請求項２】
前記制御手段は、前記コンテンツのダビング先に設定されたメディアのメディア情報を取得し、前記コピー回数判定手段から前記コンテンツの前記メディアへのコピー残回数を取得するコピー残回数カウント手段をさらに有する請求項１記載のダビング装置。
【請求項３】
映像表示出力手段をさらに有し、
前記制御手段は、前記強制コピーモードにより前記コンテンツのコピーが終了した後に、前記映像表示出力手段を制御して、前記コンテンツのコピー残回数を表示させ、前記コンテンツのコピーで終了するか、ムーブモードとして前記記録手段に記憶されたコンテンツを消去するのかを選択させるコピー/ムーブ選択手段を有する請求項１又は請求項２記載のダビング装置。
【請求項４】
記録手段と、
前記記録手段に記憶されたコンテンツを記録媒体へコピーするコピーモードと、前記記録手段に記憶されたコンテンツを記録媒体へムーブするムーブモードとのダビング設定を設定可能な媒体記録手段と、
前記コンテンツのコンテンツ情報を判定するコンテンツ判定手段と、
前記コンテンツの許可されたコピー残回数を判別するコピー回数判別手段と、
前記媒体記録手段、前記コンテンツ判定手段、および、前記コピー回数判別手段を制御する制御手段と、を備え、
前記制御手段は、ダビングモードが前記記録手段に記憶されたコンテンツを前記記録媒体へムーブさせるムーブモードに設定されたときに、前記コンテンツ判定手段および前記コピー回数判別手段を制御して指定されたコンテンツのコピー残回数を取得し、コピー残回数が複数回である場合に、前記コンテンツを前記記録媒体へコピーし、前記コンテンツのコピーが終了した後に、前記記録手段に記憶されたコンテンツを削除するか否かをユーザに確認させるムーブ処理手段を有するダビング装置。
【請求項５】
表示手段と、
信号を選択的に受信する受信手段と、
前記受信手段から出力された信号を処理して表示手段に出力する信号処理手段と、をさらに備える請求項１乃至請求項４のいずれか１項記載のダビング装置。
【請求項６】
記録手段と、
前記記録手段に記憶されたコンテンツを記録媒体へコピーするコピーモードと、前記記録手段に記憶されたコンテンツを記録媒体へムーブするムーブモードとのダビングモードが設定可能な媒体記録手段と、
前記コンテンツのコンテンツ情報を判定するコンテンツ判定手段と、
前記コンテンツが許可されたコピー残回数を判別するコピー回数判別手段と、
前記媒体記録手段、前記コンテンツ判定手段、および、前記コピー回数判別手段を制御する制御手段と、を備えたダビング装置の制御方法であって、
前記記録手段に記憶されたコンテンツを前記記録媒体へダビングするダビング設定がされたときに、前記コンテンツ判定手段から前記コンテンツのコンテンツ情報を取得するコンテンツ情報取得ステップと、
前記コンテンツ情報に基づいて、前記コピー回数判定手段から前記コンテンツのコピー残回数を取得するコピー残回数取得ステップと、
前記コピー残回数取得ステップで得られたコピー残回数が複数回である場合に、前記記録手段をコピーモードのみを操作可能とする強制コピーモードステップと、を有するダビング装置の制御方法。
【請求項７】
前記コンテンツのダビング先に設定されたメディアのメディア情報を取得するステップと、
前記コピー回数判定手段から前記コンテンツの前記メディアへのコピー残回数を取得するコピー残回数カウントステップと、をさらに有する請求項６記載のダビング装置の制御方法。
【請求項８】
映像表示出力手段をさらに有するダビング装置の制御方法であって、
前記強制コピーモードステップにより、前記コンテンツのコピーが終了した後に、前記映像表示出力手段に前記コンテンツのコピー残回数を表示させ、前記コンテンツのコピーを終了するか、ムーブモードとして前記記録手段に記憶されたコンテンツを消去するのかを選択させるコピー/ムーブ選択ステップを有する請求項６又は請求項７記載のダビング装置の制御方法。
【請求項９】
記録手段と、
前記記録手段に記憶されたコンテンツを記録媒体へコピーするコピーモードと、前記記録手段に記憶されたコンテンツを記録媒体へムーブするムーブモードとのダビングモードが設定可能な媒体記録手段と、
前記コンテンツのコンテンツ情報を判定するコンテンツ判定手段と、
前記コンテンツが許可されたコピー残回数を判別するコピー回数判別手段と、
前記媒体記録手段、前記コンテンツ判定手段、および、前記コピー回数判別手段を制御する制御手段と、を備えたダビング装置の制御方法であって、
ダビングモードが前記記録手段に記憶されたコンテンツを前記記録媒体にムーブさせるムーブモードに設定されたときに、前記コンテンツ判定手段から前記コンテンツのコンテンツ情報を取得するコンテンツ情報取得ステップと、
前記コンテンツ情報に基づいて、前記コピー回数判定手段から前記コンテンツのコピー残回数を取得するコピー残回数取得ステップと、
前記コピー残回数取得ステップで得られたコピー残回数が複数回である場合に、前記コンテンツを前記記録媒体へコピーし、前記コンテンツコピーが終了した後に、前記記録手段に記憶されたコンテンツを削除するか否かをユーザに確認させる確認画面表示ステップと、を有するダビング装置の制御方法。
【請求項１０】
信号を選択的に受信する受信ステップと、
前記受信ステップで受信された信号から、コンテンツのコピー可能回数を確認するステップと、
前記コピー可能回数を含むコンテンツ情報を記録手段に記憶させるステップと、を有する請求項６乃至請求項９のいずれか１項記載のダビング装置の制御方法。
【発明の詳細な説明】
【技術分野】
【０００１】
本発明は、ダビング装置およびダビング装置の制御方法に関し、特に、複数回ダビング可能なコンテンツをダビングするダビング装置およびそのダビング装置の制御方法に関する。
【背景技術】
【０００２】
近年、我が国の地上デジタル放送は「１回のみコピー可（Copy Once Generation: COG）」という制御情報を負荷した映像信号を放送電波として送信している。これに伴い、放送電波を受信する記録装置側では、番組の録画に際して「コピー不可(No More Copy: NMC)」という状態の映像情報を記録媒体に記録していた。
【０００３】
したがって、例えばハードディスクからＤＶＤディスク等の記録媒体に番組をダビングする際に、コピーではなくムーブすることとなるが、ムーブ処理の途中でトラブルが発生した場合には、番組を視聴することができなくなることがあった。
【０００４】
従来、シーン毎に異なるコピー制限情報が設定された番組をダビングすると、ユーザの意図するダビング結果が得られないケースが出てくる課題を回避するものが提案されている（特許文献１参照）。
【０００５】
近年では、このような制約を緩和するために、地上デジタル放送を収録後、記録媒体へ９回のコピーと１回のムーブ（ダビングテン）を可能にする運用が検討されている。
【特許文献１】特開２００７−２１３６６８号公報
【発明の開示】
【発明が解決しようとする課題】
【０００６】
ダビングテンの運用が開始されると、デジタル放送のコピー制限を持ったコンテンツに対して複数回のダビング権利がユーザに与えられるが、コピー又はムーブといった、既存のダビング設定ではユーザの誤操作による録画権利の喪失の可能性が高まることとなる。
【０００７】
例えば、ダビングテンが適用されたコンテンツをハードディスクからＤＶＤディスク等の記録媒体にダビングする場合、すでに５回コピーされているコンテンツについては、あと４回コピーできるが、ユーザが誤ってムーブすることを選択してしまうと、ユーザは４回分のコピー権利を喪失してしまうこととなる。
【０００８】
さらに、誤って選択されたムーブ処理の際に、何らかのトラブルが発生すると、ＤＶＤディスクへのコンテンツのムーブが不完全なままとなり、いずれのコンテンツも視聴することができなくなることとなる。
【０００９】
本発明は上記の問題点に鑑みて成されたものであって、ユーザの誤操作等による録画権利の喪失を防止するダビング装置およびそのダビング装置の制御方法を提供することを目的とする。
【課題を解決するための手段】
【００１０】
本発明の第１態様に係るダビング装置は、記録手段と、前記記録手段に記憶されたコンテンツを記録媒体へコピーするコピーモードと、前記記録手段に記憶されたコンテンツを記録媒体へムーブするムーブモードとのダビング設定を設定可能な媒体記録手段と、前記コンテンツのコンテンツ情報を判定するコンテンツ判定手段と、前記コンテンツの許可されたコピー残回数を判別するコピー回数判別手段と、前記媒体記録手段、前記コンテンツ判定手段、および、前記コピー回数判別手段を制御する制御手段と、を備え、前記制御手段は、前記記録手段に記憶されたコンテンツを前記記録媒体へダビングするダビング設定がされたときに、前記コンテンツ判定手段および前記コピー回数判別手段を制御してダビング設定されたコンテンツのコピー残回数を取得し、コピー残回数が複数回である場合に、前記記録手段をコピーモードのみを操作可能とする強制コピーモード手段を有する。
【００１１】
本発明の第２態様に係るダビング装置は、記録手段と、前記記録手段に記憶されたコンテンツを記録媒体へコピーするコピーモードと、前記記録手段に記憶されたコンテンツを記録媒体へムーブするムーブモードとのダビングモードが設定可能な媒体記録手段と、前記コンテンツのコンテンツ情報を判定するコンテンツ判定手段と、前記コンテンツが許可されたコピー残回数を判別するコピー回数判別手段と、前記媒体記録手段、前記コンテンツ判定手段、および、前記コピー回数判別手段を制御する制御手段と、を備え、前記制御手段は、ダビングモードが前記記録手段に記憶されたコンテンツを前記記録媒体へムーブさせるムーブモードに設定されたときに、前記コンテンツ判定手段および前記コピー回数判別手段を制御して指定されたコンテンツのコピー残回数を取得し、コピー残回数が複数回である場合に、前記コンテンツを前記記録媒体へコピーし、前記コンテンツのコピーが終了した後に、前記記録手段に記憶されたコンテンツを削除するか否かをユーザに確認させるムーブ処理手段を有する。
【００１２】
本発明の第３態様に係るダビング装置の制御方法は、記録手段と、前記記録手段に記憶されたコンテンツを記録媒体へコピーするコピーモードと、前記記録手段に記憶されたコンテンツを記録媒体へムーブするムーブモードとのダビングモードが設定可能な媒体記録手段と、前記コンテンツのコンテンツ情報を判定するコンテンツ判定手段と、前記コンテンツが許可されたコピー残回数を判別するコピー回数判別手段と、前記媒体記録手段、前記コンテンツ判定手段、および、前記コピー回数判別手段を制御する制御手段と、を備えたダビング装置の制御方法であって、前記記録手段に記憶されたコンテンツを前記記録媒体へダビングするダビング設定がされたときに、前記コンテンツ判定手段から前記コンテンツのコンテンツ情報を取得するコンテンツ情報取得ステップと、前記コンテンツ情報に基づいて、前記コピー回数判定手段から前記コンテンツのコピー残回数を取得するコピー残回数取得ステップと、前記コピー残回数取得ステップで得られたコピー残回数が複数回である場合に、前記記録手段をコピーモードのみを操作可能とする強制コピーモードステップと、を有する。
【００１３】
本発明の第４態様に係るダビング装置の制御方法は、記録手段と、前記記録手段に記憶されたコンテンツを記録媒体へコピーするコピーモードと、前記記録手段に記憶されたコンテンツを記録媒体へムーブするムーブモードとのダビングモードが設定可能な記録手段と、前記コンテンツのコンテンツ情報を判定するコンテンツ判定手段と、前記コンテンツが許可されたコピー残回数を判別するコピー回数判別手段と、前記媒体記録手段、前記コンテンツ判定手段、および、前記コピー回数判別手段を制御する制御手段と、を備えたダビング装置の制御方法であって、ダビングモードが前記記録手段に記憶されたコンテンツを前記記録媒体にムーブモードに設定されたときに、前記コンテンツ判定手段から前記コンテンツのコンテンツ情報を取得するコンテンツ情報取得ステップと、前記コンテンツ情報に基づいて、前記コピー回数判定手段から前記コンテンツのコピー残回数を取得するコピー残回数取得ステップと、前記コピー残回数取得ステップで得られたコピー残回数が複数回である場合に、前記コンテンツを前記記録媒体へコピーし、前記コンテンツコピーが終了した後に、前記記録手段に記憶されたコンテンツを削除するか否かをユーザに確認させる確認画面表示ステップと、を有する。
【発明の効果】
【００１４】
本発明によれば、ユーザの誤操作等による録画権利の喪失を防止するダビング装置およびそのダビング装置の制御方法を提供することができる。
【発明を実施するための最良の形態】
【００１５】
以下に、本発明の第１実施形態に係るダビング装置、およびダビング装置の制御方法について図面を参照して説明する。なお、以下に説明するダビング装置は、例えば映像表示を出力可能な記録再生装置に含まれている。
【００１６】
図１は、この発明の一実施形態に係るダビング装置を含む映像再生装置１を概略的に説明するブロック図である。なお、記録再生装置とは、ＨＤＤ記録装置のみまたはＤＶＤディスク記録装置のみ、或いはＨＤＤ記録装置及びＤＶＤディスク記録装置の両方が存在する、記録及び再生を行える装置である。図１に示す映像再生装置１は、さらにチューナ受信部を含んでいる。
【００１７】
図１に示すように、映像再生装置１は、映像信号およびオーディオ信号を出力する映像出力部１９、ユーザによる制御指示（制御入力）信号を受け入れるユーザ操作検出部２４、および、例えば取り出し可能な記録媒体を介して外部から映像ファイルや音声ファイルを受け入れるとともにユーザの要求に応じて映像ファイルや音声ファイルを記録媒体に出力（記録）する媒体記録部としてのデータ入出力部３２を有する。本実施形態に係る映像再生装置１は、図１に示すようにデータ入出力部３２としてＤＶＤドライブまたは半導体メモリ等を、有する。
【００１８】
なお、データ入出力部は、例えばＵＳＢ（Universal Serial Bus）ポート等に代表されるインタフェースであってもよいし、データ入出力部と接続されたＵＳＢマスストレージであってもよい。また、データ入出力部は、例えばブルートゥース（Blue Tooth，登録商標）等に代表される無線通信機器であってもよい。
【００１９】
上述した映像再生装置１は、上記各ユニットの動作や表示もしくはオーディオ（音声）出力を、制御部（制御ブロック、メインボードと呼ばれることもある）２７により、統括的に制御されている。
【００２０】
制御部２７は、ＣＰＵ（Central Processing Unit）に代表される主制御用ＩＣ（ＬＳＩ）を内蔵し、ユーザ操作検出部２４からの操作情報（入力）、または操作制御部２５からの制御信号に対応する操作内容が反映されるように、各部をそれぞれ制御している。
【００２１】
制御部２７はまた、例えばＣＰＵが実行する制御プログラムを保持したＲＯＭ（Read Only Memory）、ＣＰＵに作業エリアを提供するＲＡＭ（Random Access Memory）、および各種の設定情報及び制御情報等が格納される不揮発性メモリ（Non Volatility Memory）を含むメモリ部２６を制御している。
【００２２】
制御部２７はまた、日時を保持する時計部（タイマコントローラ）（図示せず）を含み、時刻管理や、ユーザからの入力により設定される録画予約が設定可能である。
【００２３】
以下、映像再生装置１の主要な信号処理系について説明する。地上波放送受信用のアンテナ１１で受信した地上デジタルテレビジョン放送信号は、地上デジタル放送用のチューナ１２に供給される。チューナ１２は、制御部２７からの制御信号により所望のチャンネルの放送信号を選局し、この選局された放送信号をＴＳ（Transport Stream）処理部１６に出力する。
【００２４】
ＴＳ処理部１６は、制御部２７からの制御信号により、チューナ１２で選局された放送信号を復調して、所望の番組を含んだトランスポートストリーム（ＴＳ）を得る。さらに、ＴＳ処理部１６は、制御部２７の制御の下で、トランスポートストリーム（ＴＳ）多重化された信号のＴＳ復号処理を行い、所望の番組のデジタルの映像信号及び音声信号を信号処理部１７に出力し、デジタル放送により送られている番組を取得するための各種データや電子番組ガイド（ＥＰＧ）情報、番組属性情報（番組ジャンル等）等を制御部２７へ出力する。
【００２５】
また、ＢＳ／ＣＳデジタル放送受信用のアンテナ１３で受信した衛星デジタルテレビジョン放送信号は、ＢＳ／ＣＳデジタル放送用のチューナ１４に供給される。チューナ１４は、制御部２７からの制御信号により所望のチャンネルの放送信号を選局し、この選局された放送信号をＴＳ処理部１６に出力する。
【００２６】
ＴＳ処理部１６は、制御部２７からの制御信号に基づき、チューナ１４で選局された放送信号を復調し、所望の番組を含んだトランスポートストリーム（ＴＳ）を得る。さらに、ＴＳ処理部１６は、トランスポートストリーム多重化された信号のＴＳ復号処理を行い、所望の番組のデジタルの映像信号及び音声信号を信号処理部１７に出力し、デジタル放送により送られている番組を取得するための各種データ（サービス情報），電子番組ガイド（ＥＰＧ）情報，番組属性情報（番組ジャンル等），字幕情報等を制御部２７へ出力する。
【００２７】
また、ＴＳ処理部１６は、制御部２７からの制御信号に基づき、チューナ１２、１４で選局された放送信号を復号処理し、暗号/復号化部２０へ出力する。制御部２７は、暗号/復号化部２０を制御して、供給された放送信号を暗号化し、制御部２７を介して記録手段としてのハードディスク（ＨＤＤ）３１へ記録させる。
【００２８】
信号処理部１７は、ＴＳ処理部１６から供給されたデジタルの映像信号及び音声信号に対して、選択的に所定のデジタル信号処理を施して出力している。信号処理部１７は、デジタル信号処理後の映像信号を映像処理部１８に出力し、デジタル信号処理後の音声信号を音声処理部（図示せず）に出力している。
【００２９】
映像処理部１８は、放送信号が字幕信号を伴い、字幕が表示可能である場合は、制御部２７からの制御信号および字幕情報に基づき、映像信号上に字幕情報を重畳する処理を行う。
【００３０】
映像出力部１９は、映像処理部１８から供給された映像信号に、ＯＳＤ（On Screen Display）制御部２３で生成されたＯＳＤ信号を重畳する。なお、映像出力部１９は、信号処理部４７の出力映像信号と、ＯＳＤ制御部２３の出力ＯＳＤ信号とを選択的に出力すること、また、両出力をそれぞれ画面の半分を構成するように組み合わせて出力することができる。
【００３１】
なお、ＯＳＤ制御部２３により出力される出力ＯＳＤ信号は、αブレンディングのパラメータが設定されることで、通常の映像表示上に、「半透明」状態で（通常の映像信号の一部を透過可能に）重ね合わせて出力させることもできる。
【００３２】
さらに、映像出力部１９は、ディスプレイ装置（モニタ装置）により映像（動画／静止画）出力として再生可能に、映像処理部１８およびＯＳＤ制御部２３から供給されるデジタルの映像信号をアナログの映像信号に変換して出力する。
【００３３】
また、映像出力部１９には、例えばＤＶＤ規格の光ディスクを記録媒体とするＤＶＤレコーダ装置、従来からのビデオテープを記録媒体とするビデオレコーダ装置、半導体メモリを記録媒体とするメモリ装置等が接続されてもよい。
【００３４】
また、音声処理部は、音声再生部（図示せず）に接続されるスピーカーやヘッドホン装置により音声／オーディオ出力として再生可能に、信号処理部１７から供給されるデジタルの音声信号をアナログの音声信号に変換して出力する。
【００３５】
本実施形態に係る映像再生装置では、制御部２７は、例えばデータ入出力部としてのＤＶＤドライブ３２を制御して、例えばＤＶＤディスクに記録されたコンテンツを読取ること、および、例えばハードディスク３１に記録されたコンテンツを記録型のＤＶＤディスクにコピー又はムーブすることによるダビングが可能である。
【００３６】
上記の映像再生装置において、複数回コピー可能なコンテンツをＤＶＤドライブ３２に挿入されたＤＶＤディスクへダビングするように設定されると、制御部２７は、コンテンツの残記録可能回数を確認し、複数回コピーが許可されていた場合は操作制御部２５に対してコピーモードのみ操作可能とする。すなわち、本実施形態に係る映像再生装置では、ユーザがダビング設定をする際には、最初にコピー又はムーブの選択せずに、コピー処理が進められる。
【００３７】
ハードディスク３１からＤＶＤディスクへの所望のコンテンツのコピーが完了した後、コンテンツ判定部２１は、制御部２７に制御され、ハードディスク３１に記録されたコンテンツのコンテンツ情報を制御部２７とコピー回数判別部２２とへ出力する。なお、コンテンツ情報には、コンテンツに関する履歴情報、コピー残回数等が含まれる。
【００３８】
コピー回数判別部２２は、制御部２７に制御され、コンテンツ判定部２１から供給されたコンテンツ情報に基づいて、所望のコンテンツのコピー可能回数を判別し、制御部２７とＯＳＤ制御部２３とへコピー可能回数情報を出力する。
【００３９】
ＯＳＤ制御部２３は、制御部２７に制御され、コンテンツ情報およびコピー可能回数情報に基づいて、選択されたコンテンツのダビング履歴表示、コピー残回数、および、コピー/ムーブ選択表示用のＯＳＤ信号を生成して映像出力部１９へ出力する。
【００４０】
以下に、本実施形態に係るダビング装置を適用した映像再生装置の制御方法について説明する。なお、本実施形態に係るダビング装置の制御方法では、ダビング設定されたコンテンツは、ハードディスク３１へのコピー残回数が２回未満であって、ＤＶＤディスクへのコピー残回数が２回以上である場合について説明する。
【００４１】
映像再生装置の電源がオンされ、録画番組の設定がされると（ステップＳＴＡ１）、制御部２７は録画される番組の録画可能回数を確認し、（ステップＳＴＡ２）、例えばメモリ部２６にコンテンツ情報を記録させる（ステップＳＴＡ３）。
【００４２】
ここで、制御部１９は、ＯＳＤ制御部２３を制御して、例えば図３Ａに示すようなダビング設定画面を表示させるＯＳＤ信号を生成させる。図３Ａに示すように、ここでは、ＧＵＩ画面上でユーザによるムーブ処理の選択が不可能となっているため、コピー処理のみが設定可能となる。
【００４３】
このダビング設定画面では、ハードディスク３１に記録されたコンテンツ一覧をスクロールして検索でき、カーソールで指定したコンテンツのコンテンツ情報を得ることができる。
【００４４】
ユーザが、ダビング設定画面でコンテンツを指定して「ダビング（コピー）」ボタンを選択すると、ユーザ操作検出部２４から、指定されたコンテンツのダビング設定を指示する制御信号が供給される（ステップＳＴＡ４）。
【００４５】
制御部２７は、ダビング設定を指示する制御信号に従い、指定されたコンテンツのコンテンツ情報に基づいて、ダビング残回数が２回以上か否かを判断する（ステップＳＴＡ５）。
【００４６】
このとき、制御部２７は、指定されたコンテンツの移動先のメディア情報を取得し、コンテンツ情報に基づいて、指定されたコンテンツの移動先のメディアへのコピー残回数を取得する。
【００４７】
選択されたコンテンツのダビング残回数が２回未満であった場合、制御部２７は、ハードディスク３１に記録された選択されたコンテンツを指定された移動先へ移動させるムーブ処理を行う（ステップＳＴＡ１０）。ダビング残回数が２回以上であると判断された場合、制御部２７は、指示されたダビング設定がＤＶＤディスクへのダビングか否かを判断する（ステップＳＴＡ６）。
【００４８】
本実施形態に係るダビング装置の制御方法では、ＤＶＤディスクへのダビングではない場合には、制御部２７は、指定されたコンテンツを指定された移動先へ移動させるムーブ処理を行う（ステップＳＴＡ１０）。
【００４９】
ダビング設定がＤＶＤディスクへのダビングである場合、制御部２７は、強制コピーモードＳＴ７を開始する（ステップＳＴＡ７）。すなわち、制御部２７はコンテンツの残記録可能回数を確認し、ＤＶＤディスクへの複数回のコピーが許可されていた場合は操作制御部２５に対してコピーモードのみ操作可能とすし、強制的に指定されたコンテンツをＤＶＤディスクへコピーする。
【００５０】
このとき、制御部２７は、ＯＳＤ制御部２３を制御して、ダビング画面確認/履歴管理画面を表示させる（ステップＳＴＡ８）。すなわち、指定されたコンテンツのハードディスク３１からＤＶＤディスクへのコピーが終了した後、制御部２７は、ＯＳＤ制御部２３を制御して、コピー処理とムーブ処理との選択画面を表示させるＯＳＤ信号を生成させる。
【００５１】
本実施形態に係るダビング装置の制御方法では、制御部２７は、最初にコピー選択画面を表示させる。このときＧＵＩ表示画面の一例（ダビング結果確認画面〜コピー選択〜）を図３Ｂに示す。
【００５２】
図３Ｂに示すように、コピー選択画面には「コピー決定」ボタンが表示されている。ユーザがこの画面で「コピー決定」ボタンを選択すると（ステップＳＴＡ９）、制御部２７は、コピー処理されたコンテンツのコンテンツ情報のコピー残回数を１回減らして、コンテンツ情報を更新させる（ステップＳＴＡ１１）。
【００５３】
ユーザがコピー選択画面でコピーを選択しなかった場合、すなわち、ユーザが図３Ｂに示す画面の「Ｎｏ」ボタンを選択した場合、制御部２７は、次にムーブ選択画面を表示させる。このときＧＵＩ表示画面の一例（ダビング結果確認画面〜ムーブ〜）を図３Ｃに示す。
【００５４】
図３Ｃに示すように、ムーブ選択画面には「ムーブ決定」ボタンが表示されている。ユーザが「ムーブ決定」ボタンを選択すると、制御部２７は、選択されたコンテンツのムーブ処理を行う（ステップＳＴＡ１０）。
【００５５】
また、図３Ｃに示すように、ムーブ選択画面には、「戻る」ボタンも表示され、コピー選択画面でユーザが誤って「Ｎｏ」ボタンを選択してしまった場合でも、ムーブ選択画面で「戻る」ボタンを選択することによって、再びコピー選択画面を表示させることができる。
【００５６】
なお、コピー処理とムーブ処理との選択画面は、図３Ｂおよび図３Ｃに示すように複数の画面に分けて表示することも可能であるし、１つの画面で表示させることも可能である。
【００５７】
以上の操作により、コピー処理もしくはムーブ処理によりダビングが終了する。なお、ダビング終了後に、制御部２７は、ＯＳＤ制御部２３を制御して、ダビング後のコンテンツに対して、例えば図３Ｄに示すような履歴確認画面を表示させるＯＳＤ信号を生成させることも可能である。
【００５８】
図３Ｄに示すダビング履歴確認画面には、ダビング履歴とともにコピー残回数を表示させている。ダビング履歴情報には、選択されたコンテンツが過去にダビングされた際の日時と、保存先、および、ダビングの目的等のコメントが含まれている。
【００５９】
すなわち、本実施形態に係るダビング装置およびダビング装置の制御方法によれば、上記のように、ダビング終了まではコンテンツのコピー処理を行い、ダビング結果(記録状態)の確認を行う中で、残りコピー可能回数表示しながらコピー処理を行うかムーブ処理を行うかの意思決定を行うための確認画面をユーザに提示することで、ユーザの誤操作等による録画権利の喪失を防止するダビング装置およびそのダビング装置の制御方法を提供することができる。
【００６０】
次に、本発明の他の実施形態に係るダビング装置の制御方法について以下に説明する。なお、以下の説明において、上述の実施形態に係るダビング装置およびダビング装置の制御方法と同様の構成については、同一の符号を付して説明を省略する。
【００６１】
本実施形態に係るダビング装置の制御方法では、図４に示すように、映像再生装置の電源がオンされ、録画番組の設定がされると（ステップＳＴＢ１）、制御部２７は録画される番組の録画可能回数を確認し（ステップＳＴＢ２）、例えばメモリ部２６にコンテンツ情報を記録させる（ステップＳＴＢ３）。
【００６２】
本実施形態に係るダビング装置の制御方法では、制御部２７は、ユーザがダビング設定を行う際にコピー処理をするかムーブ処理をするかを選択させる。すなわち、本実施形態に係るダビング装置の制御方法では、ダビング設定の際に、ムーブ処理を選択可能である。以下では、ユーザがムーブ処理を選択した場合について説明する。
【００６３】
ユーザ操作により、ユーザ操作検出部２４へハードディスク３１に記録されたコンテンツをＤＶＤディスクにムーブする指令が成された場合（ステップＳＴＢ４）、制御部２７は指定されたコンテンツのＤＶＤディスクへのコピー残回数を確認する（ステップＳＴＢ５）。
【００６４】
コピー残回数が複数回で、指定された移動先がＤＶＤディスクである場合（ステップＳＴＢ６）、制御部２７は、内部動作として、ハードディスク３１に記録されたコンテンツをＤＶＤディスクへコピーする（ステップＳＴＢ７）。
【００６５】
そして、制御部２７は、ＯＳＤ制御部２３を制御して、ダビング確認/履歴管理画面を表示させる（ステップＳＴＢ８）。そして、コピー完了時点で、制御部２７はディスク記録情報をＯＳＤ制御部２３に送信し、映像出力部１９にムーブ処理でコピー元のコンテンツを削除してよいかを確認する確認画面を出力させる（ステップＳＴＢ９）。
【００６６】
ここで、ユーザがコピー元のコンテンツを削除可能であると指示をした場合は、制御部２７は、ムーブ処理を確定して、コンテンツ情報に含まれるコピー残回数をクリアし（ステップＳＴＢ１０）、確認画面を表示させる（ステップＳＴＢ１１）。
【００６７】
ユーザがコピー元のコンテンツを削除不可であると指示をした場合は、コピー回数判別部２２から取得されたコピー残回数を同時に表示し、コピーの選択画面を出力する（ステップＳＴＢ１２）。コピー選択画面で、ユーザがコピーを選択すると、コピー残回数をカウントダウンし、確認画面を表示させる（ステップＳＴＢ１１）。
【００６８】
制御部２７は、ダビング回数が２回未満である場合（ステップＤＴＢ５）および、ハードディスク３１からＤＶＤディスクへのムーブではない場合には、指定されたコンテンツを指定された移動先へムーブさせ（ステップＳＴＢ１３）、確認画面を表示させる（ステップＳＴＢ１１）。
【００６９】
したがって、本実施形態に係るダビング装置の制御方法によれば、ダビング設定画面においてユーザが誤ってムーブを選択した場合であっても、ダビング装置内部ではコンテンツのコピー処理が行われているため、コピー完了後の確認画面においてコピー元のコンテンツを削除不可であるとの指示をした場合には、ムーブ処理が行われることが無く、ユーザは改めてコピー処理を選択することが可能となる。
【００７０】
このように、本実施形態に係るダビング装置の制御方法によれば、上述の実施形態に係るダビング装置の制御方法と同様に、ユーザの誤操作等による録画権利の喪失を防止するダビング装置の制御方法を提供することができる。
【００７１】
なお、この発明は、上記実施形態そのままに限定されるものではなく、実施段階ではその要旨を逸脱しない範囲で構成要素を変形して具体化できる。例えば、上記の映像再生装置１は、映像出力部１９から出力された信号に基づいて画像を表示させる表示部（モニタ）、音声出力部から出力された信号に基づいて音声や音楽を出力するスピーカを有していないが、映像再生装置１は表示部やスピーカを一体に備えていてもよい。さらに、上記の映像再生装置は、テレビ受信（表示）装置と一体であってもよい。
【００７２】
なお、モニタ（表示）装置は、受信装置（チューナ受信部）の無い映像表示装置であって、ＨＤＤおよびＤＶＤディスク記録装置は含まれないものを言う。テレビ受信（表示）装置は、受信装置（チューナ受信部）を含む映像表示装置であって、ＨＤＤおよびＤＶＤディスク記録装置は含まれないものを言う。
【００７３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００７４】
【図１】本発明の一実施形態に係るダビング装置を適用した映像再生装置の一構成例を概略的に示す図。
【図２】本発明の一実施形態に係るダビング装置の制御方法の一例を説明するためのフローチャート。
【図３Ａ】本発明の一実施形態に係るダビング装置において、ダビング設定時のＧＵＩ表示画面の一例を示す図。
【図３Ｂ】本発明の一実施形態に係るダビング装置において、コピー選択時のＧＵＩ表示画面の一例を示す図。
【図３Ｃ】本発明の一実施形態に係るダビング装置において、ムーブ選択時のＧＵＩ表示画面の一例を示す図。
【図３Ｄ】本発明の一実施形態に係るダビング装置において、ダビング終了後に表示されるＧＵＩが面の一例を示す図。
【図４】本発明の一実施形態に係るダビング装置の制御方法の他の例を説明するためのフローチャート。
【符号の説明】
【００７５】
１…映像再生装置、２１…コンテンツ判定部、２２…コピー回数判別部、２７…制御部、３１…ハードディスク、３２…データ入出力部（ＤＶＤドライブまたは半導体メモリ等）
【図１】
2009283071.tif 000003
【図２】
2009283071.tif 000004
【図３Ａ】
2009283071.tif 000005
【図３Ｂ】
2009283071.tif 000006
【図３Ｃ】
2009283071.tif 000007
【図３Ｄ】
2009283071.tif 000008
【図４】
2009283071.tif 000009